(57)【特許請求の範囲】
【請求項１】
上面板、左右側面板および底面板によって周囲４面を包囲するとともに、その一方開口部を背面板によって閉鎖した包装容器において、他方開口部側の底面板の端縁に、蓋板、押圧板および糊代が順に折り目を介して連設されるとともに、左側面板および右側面板の各端縁と該左右側面板の各端縁に対向する蓋板の各端縁との間にサイドフラップがそれぞれ折り目を介して連設され、また、各サイドフラップに、底面板と蓋板と左右側面板とが交わる頂点を始点として略４５度方向に延びる折り目が形成される一方、押圧板の幅が蓋板の幅以上に設定されてなり、押圧板を蓋板との折り目に沿って折り込み、糊代の折り目を底面板と蓋板との折り目に沿わせて糊代を底面板に貼着するとともに、底面板との折り目に沿って蓋板を折り込んだ際、押圧板が各サイドフラップを折り目に沿って折り畳んで各サイドフラップの折り目を他方開口部側の左右側面板の端縁を越えて内方に位置するように押圧することを特徴とする包装容器。
【請求項２】
前記押圧板の幅が蓋板の幅よりも大きく設定され、押圧板に蓋板との折り目と平行に折り目が形成されていることを特徴とする請求項１記載の包装容器。
【発明の詳細な説明】
【０００１】
【発明の属する技術分野】
本発明は、菓子などの包装容器に関するものである。
【０００２】
【従来の技術】
一般に、図５に示すように、上面板２、底面板４および左右側面板３Ｌ，３Ｒによって周囲４面を包囲するとともに、図示しない背面板によって一方開口部を閉鎖し、また、他方開口部をフラップ７１を有する蓋板７によって開閉自在に形成した菓子などの包装容器が知られている。そして、菓子などの購入者は、蓋板７のフラップ７１に爪をかけて蓋板７を引き出すことにより、包装容器の他方開口部を開口し、内部に収容されている菓子などを１個ずつ取り出すようにしている。
【０００３】
【発明が解決しようとする課題】
しかしながら、前述した包装容器においては、菓子などを取り出す際、蓋板のフラップに爪をかけ、包装容器の他方開口部が開放される位置まで蓋板を手前側に引き出し続ける必要が有る。また、包装容器の他方開口部を閉鎖するには、蓋板を立ち上げ、そのフラップを包装容器の他方開口部の上端縁に沿わせてその他方開口部を閉鎖する位置まで押し込まなければならず、操作が煩雑になるという欠点があった。
【０００４】
本発明は、このような問題点に鑑みてなされたもので、菓子などを取り出すために開口部を開口し、その後、開口部を閉鎖する際、開口部をワンタッチで開閉することのできる包装容器を提供するものである。
【０００５】
【課題を解決するための手段】
本発明は、上面板、左右側面板および底面板によって周囲４面を包囲するとともに、その一方開口部を背面板によって閉鎖した包装容器において、他方開口部側の底面板の端縁に、蓋板、押圧板および糊代が順に折り目を介して連設されるとともに、左側面板および右側面板の各端縁と該左右側面板の各端縁に対向する蓋板の各端縁との間にサイドフラップがそれぞれ折り目を介して連設され、また、各サイドフラップに、底面板と蓋板と左右側面板とが交わる頂点を始点として略４５度方向に延びる折り目が形成される一方、押圧板の幅が蓋板の幅以上に設定されてなり、押圧板を蓋板との折り目に沿って折り込み、糊代の折り目を底面板と蓋板との折り目に沿わせて糊代を底面板に貼着するとともに、底面板との折り目に沿って蓋板を折り込んだ際、押圧板が各サイドフラップを折り目に沿って折り畳んで各サイドフラップの折り目を他方開口部側の左右側面板の端縁を越えて内方に位置するように押圧することを特徴とするものである。
【０００６】
本発明によれば、蓋板を把握して手前側に引き出せば、蓋板の各端縁と左右側面板との間に連設されている各サイドフラップが折り畳み状態から開き出し、包装容器の他方開口部を開放することができる。一方、開放状態にある蓋板を押し込めば、蓋板の内方に連設されている押圧板は、各サイドフラップに接して各サイドフラップを折り目に沿って折り畳みつつ包装容器の内方に押し込むことから、他方開口部を蓋板によって閉鎖することができる。
【０００７】
ここで、押圧板の幅は蓋板の幅以上に設定されていることから、少なくとも押圧板の厚み分押圧板と接している各サイドフラップの折り目は左右側面板の端縁を越えて包装容器の内方に位置しており、各サイドフラップは、その折り目と左右側面板の端縁および蓋板の端縁を結ぶトグルを形成している。したがって、サイドフラップの折り目が左右側面板の端縁を通過する際、各サイドフラップは若干弾性変形し、その変形を解消する位置まで蓋板を包装容器内に引き込んで、包装容器の他方開口部を閉鎖するとともに、その閉鎖位置に保持することができる。
【０００８】
一方、蓋板を引き出す場合は、サイドフラップの折り目が側面板の端縁を越える際、サイドフラップが若干弾性変形し、その変形を解消する位置まで蓋板を包装容器外に押し出すとともに、サイドフラップの折り畳み状態を解消させる弾性力が加わり、蓋体を閉鎖する場合よりも速やかに包装容器の他方開口部を開放させることができる。
【０００９】
この結果、サイドフラップの折り目が側面板の端縁を越える位置まで蓋板を引き出し、あるいは蓋板を押し込むことにより、蓋板は、自動的に包装容器の他方開口部を開放し、あるいは閉鎖することができ、ワンタッチ操作で包装容器の他方開口部を開閉することができる。
【００１０】
本発明において、前記押圧板の幅が蓋板の幅よりも大きく設定され、押圧板に蓋板との折り目と平行に折り目が形成されていると、押圧板は、その折り目を頂点として蓋板の内面側に山状に突出することから、各サイドフラップに接して各サイドフラップを他方開口部側の左右側面板の端縁を越えて内方に位置するように確実に押圧することができる。
【００１１】
【発明の実施の形態】
以下、本発明の実施の形態を図面に基づいて説明する。
【００１２】
図１には、本発明の包装容器１の一実施形態が示されている。
【００１３】
この包装容器１は、台紙を図２に示す展開図にしたがって打ち抜いた後、包装容器１の内部に菓子などの収容物を配置し、折り目に沿って折り込むこととともに、所定部分を貼着して包装容器１を組み立て、さらに、フィルムなどで包装されて店頭に陳列される。
【００１４】
この包装容器１は、図２の展開図において、側面糊代１０の下端縁に、上面板２、右側面板３Ｒ、底面板４および左側面板３Ｌが順に折り目ａ，ｂ，ｃ，ｄを介して連設され、上面板２および底面板４の各左端縁に折り目ｅ，ｇを介して上フラップ５Ｕおよび下フラップ５Ｄがそれぞれ連設されるとともに、右側面板３Ｒおよび左側面板３Ｒの各左端縁に折り目ｆ，ｈを介して横フラップ６Ｒ，６Ｌがそれぞれ連設され、また、底面板４の右他端縁に、蓋板７、押圧板８および糊代１１が順に折り目ｉ，ｊ，ｋを介して連設され、さらに、右側面板３Ｒの右端縁と該右側面板３Ｌの右端縁が対向する蓋板７の上端縁との間に右サイドフラップ９Ｒが折り目ｍ，ｎを介して連設されるとともに、左側面板３Ｌの右端縁と該左側面板３Ｌの右端縁が対向する蓋板７の下端縁との間に左サイドフラップ９Ｌが折り目ｐ，ｑを介して連設されて形成されている。そして、押圧板８に蓋板７との折り目ｊと平行に折り目ｒが形成され、また、右サイドフラップ９Ｒに、底面板４と蓋板７と右側面板３Ｒが交差することで形成される頂点を始点として略４５度方向に延びる折り目ｓが形成されるとともに、左サイドフラップ９Ｌに、底面板４と蓋板７と左側面板３Ｌが交差することで形成される頂点を始点として略４５度方向に延びる折り目ｔが形成されている。
【００１５】
ここで、押圧板８の幅（蓋板７と押圧板８との折り目ｊから押圧板８と糊代１１との折り目ｋまでの間隔）ｘは、蓋板７の幅（底面板４と蓋板７との折り目ｉから蓋板７と押圧板８との折り目ｊまでの間隔）ｙよりも大きく設定されている。
【００１６】
次に、このように構成された包装容器１の組み立て手順について説明する。
【００１７】
まず、図２の展開図にしたがって台紙を打ち抜いた後、糊代１１の表面に接着剤を塗布し、押圧板８を折り目ｊに沿って折り込み、糊代１１の折り目ｋを底面板４と蓋板７との折り目ｉに沿わせて糊代１１を底面板４の表面に貼着する。この際、押圧板８は、その幅ｘが蓋板７の幅ｙよりも大きく設定されていることにより、蓋板７の表面から折り目ｒを頂点として山状に突出する。
【００１８】
次いで、底面板４上に菓子などの収容物を配置した後、側面糊代１０の表面および上フラップ５Ｕの表面に接着剤を塗布し、左側面板３Ｌを折り目ｄに沿って谷折りするとともに、側面糊代１０、上面板２および右側面板３Ｒを折り目ａ，ｂ，ｃに沿って順に谷折りし、また、上下のフラップ５Ｕ，５Ｄを折り目ｅ，ｇに沿ってそれぞれ谷折りし、さらに、左右の横フラップ６Ｒ，６Ｌを折り目ｆ，ｈに沿って谷折りし、側面糊代１０を左側面板３Ｌの裏面に貼着するとともに、横フラップ６Ｒ，６Ｌを下フラップ５Ｄで押さえた状態で、上フラップ５Ｕを下フラップ５Ｄの裏面に貼着する。
【００１９】
この後、各サイドフラップ９Ｒ，９Ｌを内方に押し込んでそれぞれ折り目ｓ，ｔに沿って折曲させ、蓋板７を折り目ｉに沿って谷折りすれば、図１に示したように、内部に菓子などの収容物が収納され、側面糊代１０が貼着された左側面板３Ｌ、上面板２、右側面板３Ｒおよび底面板４によって周囲４面が包囲されるとともに、上フラップ５Ｕが貼着された下フラップ５Ｄによって背面側の一方開口部が閉鎖され、また、押圧板８を内方側に有する蓋板７によって正面側他方開口部が閉鎖された包装容器１を形成することができる。
【００２０】
このようにして包装容器１の組み立てが終了すれば、包装容器１をフィルムなどで包装した状態で、店頭に陳列される。
【００２１】
一方、菓子などを購入した消費者は、図示しないフィルムなどの包装を剥離した後、蓋板７の上端縁に指をかけて手前側に引き出せば、蓋板７の各端縁と左右の側面板３Ｌ，３Ｒの各端縁にそれぞれ連設されて折り目ｔ，ｓに沿って折り畳まれている各サイドフラップ９Ｌ，９Ｒは、その折り目ｔ，ｓを中心として開き出し、図３に示すように、包装容器１の他方開口部を開放することができる。このため、開放された他方開口部を通して包装容器１内に収容されている菓子などの収容物を取り出すことができる。
【００２２】
菓子などの取り出しを終了すれば、包装容器１の他方開口部を閉鎖するように蓋板７を押し込めば、蓋板７の表面側に折り目ｒを頂点として山状に突出している押圧板８は、各サイドフラップ９Ｒ，９Ｌに接して各サイドフラップ９Ｒ，９Ｌを各折り目ｓ，ｔに沿って折り畳みつつ包装容器１の内方に押し込む。
【００２３】
ここで、蓋板７を押し込み、底面板４に対して略直角となるように立ち上げた場合、図４に示すように、押圧板８の頂点（折り目ｒ）は、包装容器１の内方に位置しており、押圧板８に接している各サイドフラップ９Ｒ，９Ｌの各折り目ｓ，ｔも包装容器１の内方に位置している。すなわち、各サイドフラップ９Ｒ，９Ｌは、上方より見て、折り目ｓ，ｔを折曲点とし、各側面板３Ｒ，３Ｌの端縁（折り目ｍ，ｐ）および蓋板７の端縁（折り目ｎ，ｑ）を結ぶトグルを形成している。このため、サイドフラップ９Ｒ，９Ｌの折り目ｓ，ｔが側面板３Ｒ，３Ｌの端縁を越える際、サイドフラップ９Ｒ，９Ｌが若干弾性変形し、その変形を解消するように蓋板７を包装容器１内に引き込む。したがって、サイドフラップ９Ｒ，９Ｌの折り目ｓ，ｔが側面板３Ｒ，３Ｌの端縁を越える位置まで蓋板７を押し込めば、蓋板７はサイドフラップ９Ｒ，９Ｌによって自動的に引き込まれ、包装容器１の他方開口部を閉鎖し、その状態を保持することができる。
【００２４】
なお、蓋板７を引き出す場合は、サイドフラップ９Ｒ，９Ｌの折り目ｓ，ｔが側面板３Ｒ，３Ｌの端縁を越える際、サイドフラップ９Ｒ，９Ｌが若干弾性変形し、その変形を解消するように蓋板７を包装容器１外に押し出すとともに、サイドフラップ９Ｒ，９Ｌの折り畳み状態を解消させる弾性力が加わることから、蓋体７を閉鎖する場合よりも円滑に包装容器１の他方開口部を開放させることができる。
【００２５】
この結果、蓋板７を、サイドフラップ９Ｒ，９Ｌの折り目ｓ，ｔが側面板３Ｒ，３Ｌの端縁を越える位置まで引き出し、あるいは押し込めば、蓋板７は、自動的に包装容器１の他方開口部を開放し、あるいは閉鎖することができ、ワンタッチ操作で包装容器１の他方開口部を開閉することができる。
【００２６】
なお、前述した実施形態においては、押圧板８の幅ｘを、蓋板７の幅ｙよりも大きく設定した場合を説明したが、押圧板８の幅ｘが蓋板７の幅ｙと同じであってもよい。すなわち、押圧板８の幅ｘと蓋板７の幅ｙとが同じであっても、蓋板７の内方に押圧板８が連設されることで、押圧板８の厚み分左右のサイドフラップ９Ｒ，９Ｌの折り目ｓ，ｔは、包装容器１の内方に位置しており、押圧板８の幅ｘが蓋板７の幅ｙよりも大きい場合と実質的に同一の作用を奏することができる。
【００２７】
【発明の効果】
以上のように本発明によれば、サイドフラップの折り目が側面板の端縁を越える位置まで蓋板を引き出し、あるいは蓋板を押し込むことにより、蓋板は、自動的に包装容器の他方開口部を開放し、あるいは閉鎖することができ、ワンタッチ操作で包装容器の他方開口部を開閉することができる。
【図面の簡単な説明】
【図１】本発明の包装容器の一実施形態を示す斜視図である。
【図２】図１の包装容器の展開図である。
【図３】図１の包装容器の他方開口部を開放した状態を示す斜視図である。
【図４】図１のＡ−Ａ線断面図である。
【図５】従来の包装容器を示す斜視図である。
【符号の説明】
１  包装容器
２  上面板
３Ｌ，３Ｒ  左右側面板
４  底面板
５Ｕ，５Ｄ  上下フラップ
６Ｌ，６Ｒ  横フラップ
７  蓋板
８  押圧板
９Ｌ，９Ｒ  左右サイドフラップ
１０，１１  糊代
ａ，ｂ，ｃ，ｄ，ｅ，ｆ，ｇ，ｈ，ｉ，ｊ，ｋ，ｍ，ｎ，ｐ，ｐ，ｑ，ｒ，ｓ，ｔ  折り目
【図１】
0004679753.tif 000002
【図２】
0004679753.tif 000003
【図３】
0004679753.tif 000004
【図４】
0004679753.tif 000005
【図５】
0004679753.tif 000006